(57)【要約】【課題】ＡＦモードからＭＦモードへ切り替わる際の感度を簡便に変更可能なカメラシステムを提供する。【解決手段】本発明のカメラシステム１は、カメラ本体２と、光軸ＯＡ方向に移動可能なフォーカスレンズ４１、及び、フォーカスレンズ４１を外部操作により移動可能なレンズ操作部４２を有し、カメラ本体２に対して装着可能なレンズ鏡筒４と、を備え、カメラ本体２からの駆動信号でフォーカスレンズ４１を駆動するオートフォーカスモードと、レンズ操作部４２の操作によりフォーカスレンズ４１を駆動するマニュアルフォーカスモードと、を有する。オートフォーカスモードの際に、レンズ操作部４２が所定の操作量、操作されると、マニュアルフォーカスモードに移行し、所定の操作量を変更する変更モードを有するとともに、変更モードを選択可能な選択部２５と、変更モードが選択されたときに、所定の操作量が変更可能となる変更部４２，２５と、を備える。【選択図】図４
2012234085.tif 000002
【特許請求の範囲】
【請求項１】
カメラ本体と、
光軸方向に移動可能なフォーカスレンズ、及び、該フォーカスレンズを外部操作により移動可能なレンズ操作部を有し、前記カメラ本体に対して装着可能なレンズ鏡筒と、を備え、
前記カメラ本体からの駆動信号で前記フォーカスレンズを駆動するオートフォーカスモードと、前記レンズ操作部の操作により前記フォーカスレンズを駆動するマニュアルフォーカスモードと、を有し、
前記オートフォーカスモードの際に、前記レンズ操作部が所定の操作量、操作されると、前記オートフォーカスモードから前記マニュアルフォーカスモードに移行するカメラシステムであって、
前記所定の操作量を変更する変更モードを有するとともに、
前記変更モードを選択可能な選択部と、
前記選択部において前記変更モードが選択されたときに、前記所定の操作量が変更可能となる変更部と、
を備えること、を特徴とするカメラシステム。
【請求項２】
請求項１に記載のカメラシステムであって、
前記レンズ操作部は、前記変更モードが選択されたときに前記変更部となること、
を特徴とするカメラシステム。
【請求項３】
請求項１または請求項２に記載のカメラシステムであって、
前記カメラ本体は、前記変更モードが選択されたときに、前記変更部となるカメラ操作部を備えること、を特徴とするカメラシステム。
【請求項４】
請求項３に記載のカメラシステムであって、
前記レンズ操作部は、前記変更モードが選択されたときに前記変更部となり、
前記変更モードが選択されたときに、前記所定の操作量は、前記レンズ操作部の操作により粗調整が可能で、前記カメラ操作部により微調整が可能となること、を特徴とするカメラシステム。
【請求項５】
請求項１から４のいずれか１項に記載のカメラシステムであって、
前記所定の操作量を表示可能であり、前記変更部による前記所定の操作量の変更に伴い、表示されている前記所定の操作量の値も変更される表示部を備えること、を特徴とするカメラシステム。
【請求項６】
請求項１から５のいずれか１項に記載のカメラシステムであって、
前記レンズ鏡筒は、前記所定の操作量を記憶する記憶部を備えること、を特徴とするカメラシステム。
【発明の詳細な説明】
【技術分野】
【０００１】
本発明は、カメラシステムに関するものである。
【背景技術】
【０００２】
従来、マニュアルフォーカス（ＭＦ）か、オートフォーカス（ＡＦ）かを選択可能な、カメラのレンズ鏡筒がある。このようなレンズ鏡筒においては、ＡＦモードで使用していても、フォーカスリングを手動で回転させると、ＭＦモードに切り替わる。この切り替え時の感度（回転角度）は、レンズ鏡筒において予め設定されており、この感度を変更するには、サービスセンターに依頼するか、あるいは専用のレンズマウントキャップが必要である（例えば、特許文献１参照）。
【先行技術文献】
【特許文献】
【０００３】
【特許文献１】特開２００３−３５９２４号公報
【発明の概要】
【発明が解決しようとする課題】
【０００４】
しかし、サービスセンターに依頼したり、専用のレンズマウントキャップを装着したりするには手間がかかり、不便である。
【０００５】
本発明の課題は、ＡＦモードからＭＦモードへ切り替わる際の感度を簡便に変更可能なカメラシステムを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、カメラ本体（２）と、光軸（ＯＡ）方向に移動可能なフォーカスレンズ（４１）、及び、該フォーカスレンズ（４１）を外部操作により移動可能なレンズ操作部（４２）を有し、前記カメラ本体（２）に対して装着可能なレンズ鏡筒（４）と、を備え、前記カメラ本体（２）からの駆動信号で前記フォーカスレンズ（４１）を駆動するオートフォーカスモードと、前記レンズ操作部（４２）の操作により前記フォーカスレンズ（４１）を駆動するマニュアルフォーカスモードと、を有し、前記オートフォーカスモードの際に、前記レンズ操作部（４２）が所定の操作量、操作されると、前記オートフォーカスモードから前記マニュアルフォーカスモードに移行するカメラシステム（１）であって、前記所定の操作量を変更する変更モードを有するとともに、前記変更モードを選択可能な選択部（２５）と、前記選択部（２５）において前記変更モードが選択されたときに、前記所定の操作量が変更可能となる変更部（４２，２５）と、を備えること、を特徴とするカメラシステム（１）である。
請求項２に記載の発明は、請求項１に記載のカメラシステム（１）であって、前記レンズ操作部（４２）は、前記変更モードが選択されたときに前記変更部となること、を特徴とするカメラシステム（１）である。
請求項３に記載の発明は、請求項１または請求項２に記載のカメラシステム（１）であって、前記カメラ本体（２）は、前記変更モードが選択されたときに、前記変更部となるカメラ操作部（２５）を備えること、を特徴とするカメラシステム（１）である。
請求項４に記載の発明は、請求項３に記載のカメラシステム（１）であって、前記レンズ操作部（４２）は、前記変更モードが選択されたときに前記変更部となり、前記変更モードが選択されたときに、前記所定の操作量は、前記レンズ操作部（４２）の操作により粗調整が可能で、前記カメラ操作部（２５）により微調整が可能となること、を特徴とするカメラシステム（１）である。
請求項５に記載の発明は、請求項１から４のいずれか１項に記載のカメラシステム（１）であって、前記所定の操作量を表示可能であり、前記変更部（４２，２５）による前記所定の操作量の変更に伴い、表示されている前記所定の操作量の値も変更される表示部（２６）を備えること、を特徴とするカメラシステム（１）である。
請求項６に記載の発明は、請求項１から５のいずれか１項に記載のカメラシステム（１）であって、前記レンズ鏡筒（４）は、前記所定の操作量を記憶する記憶部（４４）を備えること、を特徴とするカメラシステム（１）である。
なお、符号を付して説明した構成は、適宜改良してもよく、また、少なくとも一部を他の構成物に代替してもよい。
【発明の効果】
【０００８】
本発明によれば、ＡＦモードからＭＦモードへ切り替わる際の感度を簡便に変更可能なカメラシステムを提供することができる。
【図面の簡単な説明】
【０００９】
【図１】実施形態のカメラシステムを示す斜視図である。
【図２】実施形態のカメラシステムにおけるカメラ本体の背面図である。
【図３】カメラ本体の内部及びレンズ鏡筒の内部の電気回路のブロック図である。
【図４】カメラシステムの感度パラメータ変更処理動作のうち、カメラ本体側の処理フローを示すフローチャートである。
【図５】カメラシステムの感度パラメータ変更処理動作のうち、レンズ鏡筒側の処理フローを示すフローチャートである。
【発明を実施するための形態】
【００１０】
以下、図面等を参照して、本発明の実施形態について説明する。
図１は、本発明の一実施形態によるカメラシステム１全体を示す斜視図である。図２は、カメラシステム１のカメラ本体２の背面図である。
図１及び図２に示すように、カメラシステム１は、カメラ本体２と、カメラ本体２に対して着脱可能なレンズ鏡筒４と、を備える。
【００１１】
レンズ鏡筒４は、光軸ＯＡ方向に移動可能なフォーカスレンズ４１、及び、フォーカスレンズ４１を移動可能なフォーカスリング４２を備えている。フォーカスリング４２は、レンズ鏡筒４において外部から回転操作可能に設けられ、該フォーカスリング４２の回転操作量に応じてフォーカスレンズ４１が光軸ＯＡ方向に移動可能となっている。
【００１２】
カメラ本体２は、撮影モード、再生モード、及びボディ本体内のパラメータ設定モードを選択可能となっている。そして、本実施形態のカメラ本体２は、さらに感度パラメータ変更モードを選択可能である。
また、カメラ本体２は、図１に示すように、その前面に、レンズ鏡筒４のマウント２２、及び、カメラ本体２の撮影設定を変更するためのダイヤル２３を備える。カメラ本体２の上面には、撮影用のレリーズボタン２４が設けられている。
【００１３】
図２に示すように、カメラ本体２の背面には操作ボタン２５及びＬＣＤ表示部２６が設けられている。
操作ボタン２５は、カメラ本体２における上述のモード変更等を行うボタンである。
ＬＣＤ表示部２６は、その画面に選択可能なメニュー、設定されたモード、及び画像等を表示可能となっている。
【００１４】
カメラ本体２、及び、レンズ鏡筒４には、それぞれ後述する電気回路が設けられ、レンズ鏡筒４がカメラ本体２におけるマウント２２部２２に装着された時、両電気回路が接続されるように構成されている。
【００１５】
図３は、カメラ本体２及びレンズ鏡筒４の電気回路のブロック図である。
図３に示すように、カメラ本体２の電気回路は、カメラＣＰＵ２７と、電源回路２８と、ＬＣＤ表示部２６を制御するＬＣＤコントローラ２９と、レリーズボタン２４の押下操作に応答してオン・オフ制御されるレリーズスイッチ３０と、操作ボタン２５の選択操作に応答してオン・オフ制御される複数の操作スイッチ３１ａ〜３１ｄと、記憶部としての不揮発性メモリ３２と、前述のダイヤル２３と、６つの電気接点３３ａ〜３３ｆと、を有する。
【００１６】
カメラＣＰＵ２７は、レンズ鏡筒４側の後述のレンズＣＰＵ４３との間においてハンドシェイクライン、データ（ＤＡＴＡ）ライン、クロック（ＣＬＫ）ラインの３つのラインを介してシリアル通信を行う。
また、カメラＣＰＵ２７は、ＬＣＤコントローラ２９に対して表示指令及び表示用データを送出する。
ＬＣＤコントローラ２９は、カメラＣＰＵ２７から送出される表示用データを用いて表示制御信号を生成し、該表示制御信号をＬＣＤ表示部２６へ送出する。
ＬＣＤ表示部２６は、ＬＣＤコントローラ２９から送出される表示制御信号に基づいて、画像再生や操作メニュー等の各種表示を行う。
【００１７】
電源回路２８は、カメラ本体２内の各部に電源を供給すると共に、レンズ鏡筒４に対してパワー電源及びロジック電源を供給する。
不揮発性メモリ３２は、レリーズボタン２４の押下操作に応答するレリーズスイッチ３０のオン制御を検知して撮影処理を行なうことにより得られる画像データを、カメラＣＰＵ２７を通して格納する。
また、複数の操作スイッチ３１ａ〜３１ｄは、ＬＣＤ表示部２６に表示された撮影メニューの移動、決定、キャンセル等の操作に用いられる。
【００１８】
一方、レンズ鏡筒４の内部の電気回路は、レンズＣＰＵ４３と、不揮発性メモリ４４と、モータ駆動回路４５と、ＡＦモータ４６と、前述のフォーカスリング４２と、６つの電気接点４７ａ〜４７ｆと、を有する。
【００１９】
レンズＣＰＵ４３は、レンズ鏡筒４をカメラ本体２のマウント２２に装着し、電気接点３３ａ〜３３ｆ及び４７ａ〜４７ｆを介して両電気回路が接続された時、前述のハンドシェイクライン、データライン、クロックラインの３つのラインを介してカメラＣＰＵ２７との間でシリアル通信を行う。
またレンズＣＰＵ４３は、モータ駆動回路４５に駆動制御信号を送出する。モータ駆動回路４５は、レンズＣＰＵ４３から送出される駆動制御信号により、ＡＦモータ４６を介してフォーカスレンズ４１の光軸方向ＯＡへの駆動移動を制御する。
【００２０】
不揮発性メモリ４４は、レンズ鏡筒４の感度パラメータを記憶する。ここで、感度パラメータについて説明する。
カメラシステム１は、レリーズボタン２４が半押しされた際に、フォーカスポイント（図示せず）に合焦するようにフォーカスレンズ４１を自動的に駆動するオートフォーカス（ＡＦ）モードを有する。
【００２１】
また、カメラシステム１は、レンズ鏡筒４側のフォーカスリング４２を手動で回転操作することにより、フォーカスレンズ４１を光軸方向ＯＡに移動させるマニュアルフォーカス（ＭＦ）モードも有している。
【００２２】
ＡＦモードかＭＦモードかは、本実施形態においてレンズ鏡筒４の側面に設けられた切替部によって選択される。そして、ＡＦモードに設定されていたとしても、フォーカスリング４２をユーザーが所定量、操作することにより、ＡＦモードからＭＦモードに移行する（切り替る）ように構成されている。
このときの、ユーザーがフォーカスリングをどの程度回転したときにＡＦモードからマニュアルモードに変更されるかの所定の操作量、すなわち所定の角度が感度パラメータである。
【００２３】
本実施形態において感度パラメータは、不揮発性メモリ４４に記憶されている。そして、レンズ鏡筒４がＡＦモードに設定されている場合であっても、ユーザーがフォーカスリング４２をこの感度パラメータ以上回転すると、ＡＦモードからＭＦモードに変更される。
【００２４】
本実施形態は、感度パラメータを変更することが可能である。変更する際には、カメラシステム１において感度パラメータ変更モードを選択する。感度パラメータ変更モードが選択されると、現在の感度パラメータがＬＣＤに表示される。
【００２５】
そして、ユーザーがフォーカスリング４２を回転すると、その回転量がパルスとしてレンズＣＰＵ４３に入力される。その入力パルス数はカメラＣＰＵ２７に送信され、入力パルス数に応じて、現在ＬＣＤ２６に表示されている感度パラメータの値が変更される。
このようにしてユーザーは、フォーカスリング４２の回転により、感度パラメータの疎変更（疎調整）を行うことができる。
【００２６】
また、操作ボタン２５の操作によっても感度パラメータの変更は可能となっている。この操作ボタン２５の操作による感度パラメータの変更量は、フォーカスリング４２を回転させる場合よりも微少、すなわち高精度に変更可能となっている。
このようにしてユーザーは、カメラ本体２のＬＣＤ２６を見ながら操作ボタン２５により感度パラメータをさら微変更（微調整）することができる。
【００２７】
以下、本実施形態のカメラシステム１における感度パラメータの変更処理動作を図４及び図５のフローチャートにより、より詳細に説明する。図４は、カメラシステム１の感度パラメータ変更処理動作のうち、カメラ本体２側の処理フローを示し、図５は、レンズ鏡筒４側の処理フローを示すフローチャートである。
【００２８】
まず、図４に基づいて、カメラ本体２側の感度パラメータ変更処理フローについて説明する。
ユーザーはＬＣＤ２６にメニュー画面を表示させ、そのメニュー画面において操作ボタン２５の操作により、感度パラメータ変更メニューを選択する。
【００２９】
ステップＳ１において、カメラ本体２は、感度パラメータ変更メニューが選択されると、感度パラメータ変更モードへ移行する。
ステップＳ２において、カメラ本体２は、ＬＣＤコントローラ２９を経由してＬＣＤ２６に感度パラメータの変更画面を表示させる。
ステップＳ３において、カメラ本体２は、マウント２２を経由してレンズ鏡筒４に現状のパラメータ値の送信要求を送信する。
【００３０】
ステップＳ４において、カメラ本体２は、マウント２２を経由してレンズ鏡筒４から受信した現状のパラメータ値を、ＬＣＤコントローラ２９を経由してＬＣＤ２６に表示させる。
ステップＳ５において、カメラ本体２は、ＬＣＤコントローラ２９を経由してＬＣＤ２６にパラメータ編集を行うかキャンセルするかのメニューを表示させる。
【００３１】
ステップＳ６において、カメラ本体２は、操作ボタン２５が押下された際のＬＣＤ２２上のカーソル位置からパラメータ編集実行／キャンセルの判断を行う。
ステップＳ７において、レンズ鏡筒４に感度パラメータ変更開始通知コマンドを送信する。
レンズ鏡筒４が感度パラメータ変更開始通知コマンドを受信した際には、レンズ鏡筒４自身も感度パラメータ変更モードに動作が移行して通常動作とは別の感度パラメータ変更処理が行われる。
【００３２】
ステップ８において、カメラ本体２は、マウント２２を経由してレンズ鏡筒４から、ユーザーが実際に回したフォーカスリングのパルス数を受信する。
ステップ９において、カメラ本体２は、受信したパルス数をメモリ３２上に保存してからＬＣＤコントローラ２９を経由してＬＣＤ２６に表示する。
ステップ１０において、カメラ本体２は、操作ボタン２５（又はダイヤル２３）の入力を監視し、操作ボタン２５の操作方向（又はダイヤルの回転方向）に合わせてメモリ３２上のパルス数を増減する。
【００３３】
なお、ここで、操作ボタン２５による感度パラメータの変更（調整）は、ユーザーのフォーカスリング４２の手動回転よりも微少な変更が可能となっている。すなわち、ユーザーは、フォーカスリング４２の回転により、感度パラメータの疎変更（疎調整）を行うことができ、ユーザーは、カメラ本体２のＬＣＤ２６を見ながら操作ボタン２５により感度パラメータをさら微変更（微調整）することができる。
【００３４】
ステップ１１において、カメラ本体２は、増減したパルス数を、ＬＣＤコントローラ２９を経由してＬＣＤ２６に表示する。
ステップ１２において、カメラ本体２は、ＬＣＤコントローラ２９を経由してＬＣＤ２６にパラメータ編集完了かキャンセルするかのメニューを表示させる。
ステップ１３において、カメラ本体２は、操作ボタン２５が操作された際のＬＣＤ２６上のカーソル位置からパラメータ編集完了／キャンセルの判断を行う。
ステップ１４において、カメラ本体２は、レンズ鏡筒４に、変更したパラメータ値及び、パラメータ変更完了コマンドを送信する。
【００３５】
レンズ鏡筒４がパラメータ変更完了コマンドを受信した際には、レンズ鏡筒４はパラメータ値をレンズ鏡筒４内の不揮発性メモリ４４に書き込んだ後、パラメータ変更完了ステータスを送信する。
ステップ１３において編集をキャンセルする場合（Ｓ１３，キャンセル）、ステップ１５において、レンズ鏡筒４にパラメータ変更中止コマンドを送信して、ステップ１６に進む。
【００３６】
レンズ鏡筒４はパラメータ変更中止コマンドを受信した際には、感度パラメータ変更モードから通常動作モードに移行する。
ステップ１６において、カメラ本体２は、レンズ鏡筒４からパラメータ変更完了ステータスを受信する。
ステップ１７において、カメラ本体２は、レンズ鏡筒４から受信したパラメータ変更完了ステータス内容を、ＬＣＤコントローラ２９を経由してＬＣＤ２６に表示する。
ステップ１８において、感度パラメータ変更モードを終了して、直前のモードに戻る。
【００３７】
次に、レンズ鏡筒４の処理フローについて説明する。レンズ鏡筒４の処理フローを図５に示す。
ステップ２１において、レンズ鏡筒４は、マウント２２を経由してカメラ本体２から現状のパラメータ値の送信要求を受信する。
ステップ２２において、レンズ鏡筒４は、マウント２２を経由してカメラ本体２に現状のパラメータ値を送信する。
【００３８】
ステップ２３において、レンズ鏡筒４は、マウント２２を経由してカメラ本体２からパラメータ変更開始通知コマンドを受信する。
ステップ２４において、レンズ鏡筒４は、レンズ鏡筒４内の状態を通常モードから感度パラメータ変更モードに移行する。感度パラメータ変更モードでは、フォーカスリング４２をユーザーが回転すると単位時間当たりのパルス数回転角度をカメラ本体２に送信する。また、カメラ本体２からパラメータ変更完了コマンドを受信した際にはレンズ鏡筒４内の不揮発性メモリ４４にパラメータ値を格納する。
ステップ２５において、レンズ鏡筒４は、回転されたフォーカスリング４２のパルス数をカウントし、メモリに保存する。
【００３９】
ステップ２６において、レンズ鏡筒４は、カウントしたパルス数をマウント２２を経由してカメラ本体２に送信する。
ステップ２７において、レンズ鏡筒４は、マウント２２を経由してカメラ本体２から変更されたパラメータ値を受信し、メモリに保存し、変更完了コマンドを受信する。
ステップ２８において、レンズ鏡筒４は、メモリ上のパラメータ値を不揮発性メモリ４４に格納する。
ステップ２９において、レンズ鏡筒４は、マウント２２を経由してカメラ本体２に不揮発性メモリ４４への書き込みステータスを送信する。
【００４０】
ステップ３０において、レンズ鏡筒４は、レンズ鏡筒４内の状態を感度パラメータ変更モードから通常モードに移行する。
レンズ鏡筒４が、感度パラメータ変更モード中に、カメラ本体２から感度パラメータ変更中止コマンドを受信した際には（ステップ３１）、ステップ１１で示したようにカメラ本体２に感度パラメータ終了ステータスを送信して、状態遷移を通常モードに移行する。
【００４１】
以上、本実施形態によると、以下の効果を有する。
（１）カメラシステム１は、通常動作モードから切替え可能な感度パラメータ変更モードを有する。そして、該カメラシステム１が感度パラメータ変更モードに切替えられると、不揮発性メモリ４４に記憶されている感度パラメータをフォーカスリング４２の操作及びカメラ本体２側の操作ボタン２５の調整により変更することができる。そのため、ＡＦモードからＭＦモードへ切り替える際の感度パラメータを、サービスセンターに依頼したり、専用のレンズマウント２２キャップを装着使用したりするといった手間やコストを要することなく、カメラ本体２とレンズ鏡筒４との間の通信のみを利用して簡便且つ経済的に変更することができる。
【００４２】
（２）また、感度パラメータが、フォーカスリング４２の操作により粗調整可能であると共に、カメラＣＰＵ２７により微調整が可能である。そのため、感度パラメータの変更を容易、迅速且つ高精度（精密）に行なうことができる。
【００４３】
以上、説明した実施形態に限定されることなく、以下に示すような種々の変形や変更が可能であり、それらも本発明の範囲内である。
例えば、本実施形態では、感度パラメータ（パルス数）の増減を、フォーカスリング４２の手動操作による粗調整と、カメラ本体２側の操作ボタン２５による微調整との二段階で調整するものについて説明したが、これに限らず、どちらか一方による一段階の調整で行なってもよい。
なお、実施形態及び変形形態は、適宜組み合わせて用いることもできるが、詳細な説明は省略する。また、本発明は以上説明した実施形態によって限定されることはない。
【符号の説明】
【００４４】
１：カメラシステム、２：カメラ本体、４：レンズ鏡筒、２７：カメラＣＰＵ（調整部）、４１：フォーカスレンズ、４２：フォーカスリング、４４：不揮発性メモリ（記憶部）、ＯＡ：光軸方向
【図１】
2012234085.tif 000003
【図２】
2012234085.tif 000004
【図３】
2012234085.tif 000005
【図４】
2012234085.tif 000006
【図５】
2012234085.tif 000007